(57)【要約】【課題】型成形時における変形による不具合を防止することのできる固定ガラス用ウエザストリップを提供する。【解決手段】ドアに固定される固定ガラス３の周縁部には固定ガラス用ウエザストリップが装着される。当該ウエザストリップの前縦辺部１２は、固定ガラス３が挿入される挿入溝部１５を内周側に具備した断面略コ字状の本体部１６を備えている。本体部１６は、基底部１７並びに当該基底部１７の両端から延びる車内側側壁部１８及び車外側側壁部１９から構成されている。前縦辺部１２の車内側には、外周側へ延びるリップ部２６を備えている。一方、前縦辺部１２の車外側は、リップ部が省略された構成となっており、車外側側壁部１９から突出形成された一対の突出部２８ａ，２８ｂを備えている。そして、突出部２８ａには、型成形後の金型装置の型開きに際して所定の型部材に係止される凹部２９が設けられている。【選択図】      図３
2006123632.tif 000002
【特許請求の範囲】
【請求項１】
所定の金型装置によって型成形され、車両用ドアの開口部に固定される固定ガラスの周縁部に取付けられる固定ガラス用ウエザストリップであって、
前記固定ガラスの周縁部が挿入される挿入溝部を内周側に具備した本体部を備え、
周方向の所定区間においては、外周側に延びるリップ部を前記本体部の車内側又は車外側のうちの一方側に具備し、かつ、他方側に不具備とし、
前記所定区間の前記他方側に、型成形後の前記金型装置の型開きに際して前記金型装置のうちの所定の型部材に係止される係止部を設けたことを特徴とする固定ガラス用ウエザストリップ。
【請求項２】
前記本体部は、基底部並びに当該基底部の両端から延びる車内側側壁部及び車外側側壁部から構成されていることを特徴とする請求項１に記載の固定ガラス用ウエザストリップ。
【請求項３】
所定の金型装置によって型成形され、車両用ドアの開口部に固定される固定ガラスの周縁部に取付けられる固定ガラス用ウエザストリップであって、
基底部並びに当該基底部の両端から延びる車内側側壁部及び車外側側壁部からなり、前記固定ガラスの周縁部が挿入される挿入溝部を内周側に具備した断面略コ字状の本体部と、
周方向の所定区間において、前記車内側側壁部又は前記車外側側壁部のうちの一方の側壁部から延出形成された連接部と、
前記連接部の先端部から外周側へ延びるリップ部とを備え、
さらに、前記所定区間における前記車内側側壁部又は前記車外側側壁部のうちの他方の側壁部側において、型成形後の前記金型装置の型開きに際して前記金型装置のうちの所定の型部材に係止される係止部を設けたことを特徴とする固定ガラス用ウエザストリップ。
【請求項４】
前記連接部と前記リップ部とのなす角度が直角又は鋭角となるように形成されていることを特徴とする請求項３に記載の固定ガラス用ウエザストリップ。
【請求項５】
前記係止部は、前記車内側側壁部又は前記車外側側壁部から突出形成された突出部に形成されていることを特徴とする請求項２乃至４のいずれかに記載の固定ガラス用ウエザストリップ。
【請求項６】
前記係止部は凹部であることを特徴とする請求項５に記載の固定ガラス用ウエザストリップ。
【請求項７】
前記係止部は、前記突出部の外周側に形成されていることを特徴とする請求項５又は６に記載の固定ガラス用ウエザストリップ。
【発明の詳細な説明】
【技術分野】
【０００１】
本発明は、車両用ドアの固定ガラスの周縁に取付けられる固定ガラス用ウエザストリップに関するものである。
【背景技術】
【０００２】
従来、自動車等の車両のドアには固定ガラスが取着されたものがある。この固定ガラスは、当該固定ガラスをシールするための固定ガラス用ウエザストリップがその周縁部に装着された上でドアの開口部に嵌め込まれる。
【０００３】
固定ガラス用ウエザストリップは、固定ガラスが挿入される溝部を内周側に有した断面略コ字状の本体部と、当該本体部の車内外両側に設けられる取付部とからなる。前記両取付部は、それぞれ前記本体部から延出した連接部と、当該連接部の先端から延びドア開口部周縁（インナパネル又はアウタパネル）を覆うように設けられたリップ部とからなり、ドアのインナパネル又はアウタパネルが挿入される溝部を外周側に有した構造となっている（例えば、特許文献１参照。）。
【０００４】
一般的に、固定ガラス用ウエザストリップは所定の金型装置によって型成形される。その金型装置は、固定ガラス用ウエザストリップの本体部の溝部を画定するため中板と、複数の可動型とからなる。型成形に際しては、まず、各型を所定位置に配置せしめ、型閉めを行う。そして、各型により形成されたキャビティ内に弾性材料（未加硫ゴムや軟質樹脂）を射出し、充填させる。材料固化後、各型を開き、固定ガラス用ウエザストリップを取り外す。
【特許文献１】特開２００２−３０７９５４号公報
【発明の開示】
【発明が解決しようとする課題】
【０００５】
しかしながら、固定ガラス用ウエザストリップの中には、図６に示すように、固定ガラス用ウエザストリップ７０の本体部７１の一方側にのみ取付部７２（リップ部７３）が設けられ、他方側では取付部（リップ部）が省略された構成のものがある。この種の固定ガラス用ウエザストリップ７０を製造する際には、図７に示すように、金型装置７５を型開きする工程において、中板７６を境にした可動型７７，７８を相反する方向（図７の上下方向）へ離間させていく。この型開き工程の初期段階においては、本体部７１の一方側（図７の下側）においては、取付部７２（リップ部７３）が可動型７８に係止されるため、可動型７８によって図７の下方向へ引っ張られる。これに対し、本体部７１の他方側（図７の上側）は、可動型７７に係止されていないため、本体部７１の一方側の動きにつられて図７の下方向へと引っ張られる。このため、本体部７１の他方側が中板７６からの応力を受け、例えば型開き工程の初期段階のような材料がまだ十分に固化しきっていない状況においては、その付根部を基点として外方に開かれるように変形し、本体部７１の溝部７９が設定以上に開いた形状となってしまうおそれがある。その結果、適正形状の固定ガラス用ウエザストリップが得られず、固定ガラス用ウエザストリップの取付け不良やシール性の低下などが起こるおそれがある。
【０００６】
本発明は上記問題点を解決するためになされたものであって、その目的は、型成形時における変形による不具合を防止することのできる固定ガラス用ウエザストリップを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．所定の金型装置によって型成形され、車両用ドアの開口部に固定される固定ガラスの周縁部に取付けられる固定ガラス用ウエザストリップであって、
前記固定ガラスの周縁部が挿入される挿入溝部を内周側に具備した本体部を備え、
周方向の所定区間においては、外周側に延びるリップ部を前記本体部の車内側又は車外側のうちの一方側に具備し、かつ、他方側に不具備とし、
前記所定区間の前記他方側に、型成形後の前記金型装置の型開きに際して前記金型装置のうちの所定の型部材に係止される係止部を設けたことを特徴とする固定ガラス用ウエザストリップ。
【０００９】
上記手段１によれば、車内側又は車外側の一方側にしか上記リップ部が設けられていない構成であっても、少なくとも型開き工程の初期段階において、他方側も所定の型部材に係止される。つまり、リップ部が設けられていない側も、リップ部が設けられた側と同様に型部材に係止されるため、リップ部が設けられていない側だけが型開き時に型部材によって引っ張られることがない。従って、型成形時、特に型開き工程の初期段階のような弾性材料（ゴム等）がまだ十分に固化されていない状況における変形を抑制し、適正形状の固定ガラス用ウエザストリップを得ることができる。ひいては固定ガラス用ウエザストリップの取付け不良やシール性の低下を抑制することができる。なお、以下の手段においても同様であるが、リップ部は、車両用ドアの開口部周縁（インナパネル又はアウタパネル）を被覆するためのものである。また、前記係止部が係止される所定の型部材としては、「挿入溝部を画定するための溝部用型に対して前記他方側（前記本体部の車内側又は車外側）へ離間していく可動型」が一例に挙げられる。この場合、型開き時に、本体部の一方側が引っ張られることにより、その動きにつられて他方側が引っ張られ、他方側が溝部用型からの応力を受け、挿入溝部が設定以上に開いてしまうといった変形が抑制される。
【００１０】
手段２．前記本体部は、基底部並びに当該基底部の両端から延びる車内側側壁部及び車外側側壁部から構成されていることを特徴とする手段１に記載の固定ガラス用ウエザストリップ。
【００１１】
手段３．所定の金型装置によって型成形され、車両用ドアの開口部に固定される固定ガラスの周縁部に取付けられる固定ガラス用ウエザストリップであって、
基底部並びに当該基底部の両端から延びる車内側側壁部及び車外側側壁部からなり、前記固定ガラスの周縁部が挿入される挿入溝部を内周側に具備した断面略コ字状の本体部と、
周方向の所定区間において、前記車内側側壁部又は前記車外側側壁部のうちの一方の側壁部から延出形成された連接部と、
前記連接部の先端部から外周側へ延びるリップ部とを備え、
さらに、前記所定区間における前記車内側側壁部又は前記車外側側壁部のうちの他方の側壁部側において、型成形後の前記金型装置の型開きに際して前記金型装置のうちの所定の型部材に係止される係止部を設けたことを特徴とする固定ガラス用ウエザストリップ。
【００１２】
上記手段３によれば、上記手段１と同様の作用効果が奏される。もちろん、手段３は上記手段１と同様に、他方の側壁部においてリップ部が省略された構成であり、上記係止部はリップ部や、リップ部及び連接部によって形成される凹部とは異なる。
【００１３】
手段４．前記連接部と前記リップ部とのなす角度が直角又は鋭角となるように形成されていることを特徴とする手段３に記載の固定ガラス用ウエザストリップ。
【００１４】
上記手段４によれば、車両用ドアの開口部周縁にリップ部をより確実に当接させることができるため、開口部周縁をより確実に被覆するとともに、車両用ドアの開口部における固定ガラスの取付状態の安定化を図ることができる。また、このような構成では、金型装置の型開き時においてリップ部が型部材に係止されやすいため、上記型成形時における不具合が生じやすい。従って、上記係止部を備える効果がより確実に奏される。
【００１５】
手段５．前記係止部は、前記車内側側壁部又は前記車外側側壁部から突出形成された突出部に形成されていることを特徴とする手段２乃至４のいずれかに記載の固定ガラス用ウエザストリップ。
【００１６】
上記手段５によれば、突出部の突出方向（車内側又は車外側）へ離間していく型部材に対してより確実に係止される。
【００１７】
手段６．前記係止部は凹部であることを特徴とする手段５に記載の固定ガラス用ウエザストリップ。
【００１８】
上記手段６によれば、凸部の係止部に比べて、固定ガラス用ウエザストリップの取付時又はそれ以降に特段寄与しない余計な突出部分が形成されないため、固定ガラス用ウエザストリップの取付性やシール性の低下を抑制することができる。
【００１９】
手段７．前記係止部は、前記突出部の外周側に形成されていることを特徴とする手段５又は６に記載の固定ガラス用ウエザストリップ。
【００２０】
上記手段７によれば、リップ部が突出している側と同じ外周側に設けられていることにより、型開き時において車内外両側をバランスよく係止することができる。
【００２１】
手段８．前記係止部は断面略半円状に形成されていることを特徴とする手段５乃至７のいずれかに記載の固定ガラス用ウエザストリップ。
【００２２】
上記手段８によれば、型開き時において、必要以上に係止されず、係止状態から外れやすくなる。その結果、型開き作業（型から抜く作業）の作業性の低下を抑制することができる。
【００２３】
手段９．周方向に対して断続的に複数の前記係止部を形成したことを特徴とする手段１乃至８のいずれかに記載の固定ガラス用ウエザストリップ。
【００２４】
上記手段９によれば、係止部を周方向に連続して設ける場合に比べて、係止状態から外れやすくなる。その結果、型開き作業（型から抜く作業）の作業性の低下を抑制することができる。さらには、固定ガラス用ウエザストリップの取付時又はそれ以降に特段寄与しない余計な部分を極力少なくすることができる。
【発明を実施するための最良の形態】
【００２５】
以下に、一実施形態について図面を参照して説明する。
【００２６】
図１に示すように、車両としての自動車ボディ１には車両用ドアとしてのフロントドア２が開閉可能に設けられている。また、フロントドア２の前部には固定ガラス３が装着されている。この固定ガラス３は、当該固定ガラス３をシールするための固定ガラス用ウエザストリップ４（図２参照）がその周縁部に装着された上でフロントドア２の固定ガラス用開口部５に嵌め込まれている。なお、図１では自動車ボディ１の左側が図示されているが、図２では右側のフロントドア２に取付けられる固定ガラス用ウエザストリップ４が図示されている。
【００２７】
次に固定ガラス用ウエザストリップ４（以下、単に「ウエザストリップ」という）について説明する。ウエザストリップ４は、所定の金型装置によって型成形されている。また、ウエザストリップ４は弾性材料としてのオレフィン系熱可塑性エラストマー（ＴＰＯ）よって形成されている。
【００２８】
より詳しくは、図２に示すように、ウエザストリップ４は、ディビジョンバー８（図１参照）に沿って取付けられる後縦辺部９と、フロントドア２本体部に沿って取付けられる下辺部１０と、ドアフレーム１１に沿って取付けられる前縦辺部１２及び上斜辺部１３とにより、固定ガラス３の外周形状に対応した略環状に形成されている。
【００２９】
次に、ウエザストリップ４の断面形状について前縦辺部１２を例にして説明する。図３に示すように、前縦辺部１２は、固定ガラス３の周縁部が挿入される挿入溝部１５を内周側に具備した断面略コ字状の本体部１６を備えている。本体部１６は、基底部１７並びに当該基底部１７の両端から延びる車内側側壁部１８及び車外側側壁部１９から構成されている。また、基底部１７の外周側には厚肉のベース突起部２０が設けられ、当該ベース突起部２０の先端部にはシールリップ２２が突出形成されている。なお、固定ガラス３を保持する保持力及び固定ガラス３とのシール性を高めるために、挿入溝部１５は、基底部１７側よりも開口部側が幅狭となっている。
【００３０】
さらに、前縦辺部１２は、車内側において、車内側側壁部１８から延出形成された連接部２５と、当該連接部２５の先端部から外周側へ延びるリップ部２６とを備えている。本実施形態では、連接部２５とリップ部２６とのなす角度が鋭角となるように形成されている。
【００３１】
一方、前縦辺部１２の車外側は、リップ部が省略された構成となっており、車外側側壁部１９から車外側へ突出形成された一対の突出部２８ａ，２８ｂを備えている。さらに、外周側の突出部２８ａの外周側には、係止部としての凹部２９が設けられている。凹部２９は、断面略半円状の凹部であって、図４に示すように周方向（長手方向）に沿って複数形成されている。従って、前縦辺部１２に対応する区間が本実施形態における周方向の所定区間に相当する。
【００３２】
次に固定ガラス３及びウエザストリップ４の固定ガラス用開口部５への取付構造について説明する。前縦辺部１２が取付けられるドアフレーム１１（図１参照）は、インナパネル３１及びアウタパネル３２により構成され、両者間に断面略コ字状のサッシュ２１が設けられている。取付手順としては、まず固定ガラス３を挿入溝部１５に挿入し、固定ガラス３の全周にウエザストリップ４が装着された状態とする。そして、この状態の固定ガラス３を固定ガラス用開口部５に嵌め込む。取付状態においては、本体部１６がサッシュ２１内に挿し込まれるとともに、ベース突起部２０の先端のシールリップ２２がサッシュ２１の底部２１ａに当接した状態となる。車内側においては、リップ部２６によってインナパネル３１の車内側側面が被覆された状態となる。つまり、リップ部２６は、固定ガラス用開口部５の周縁を被覆する役目を果たす。一方、車外側においてはアウタパネル３２及び突出部２８ａ，２８ｂの外側にフレームモール３５が取着される。
【００３３】
次に、上記の構成を有してなるウエザストリップ４の製造方法について図５（ａ），（ｂ），（ｃ）を参照して説明する。まず、ウエザストリップ４を成形するために使用される金型装置５１について説明する。図５（ａ）は、金型装置５１を示す断面図である。金型装置５１は、挿入溝部１５を画定するための溝部用型としての中板５２と、図示しないシリンダ等により中板５２に対して相対移動可能に設けられた型部材としての上可動型５３及び下可動型５４とを備えている。
【００３４】
中板５２、上可動型５３及び下可動型５４には、ウエザストリップ４の外形形状に対応した成形面がそれぞれ形成されている。そして、これら成形面によって、ウエザストリップ４を成形するためのキャビティ５５が形成される。
【００３５】
そして、上記の構成を有してなる金型装置５１によって、以下のようにしてウエザストリップ４を成形する。まず、中板５２、上可動型５３及び下可動型５４を所定位置にセットし型閉めする。この状態から図５（ｂ）に示すように、キャビティ５５内に、可塑化状態にあるＴＰＯを注入し、充填させる。その後、ＴＰＯを固化させる。固化完了後、図５（ｃ）に示すように、上可動型５３及び下可動型５４をそれぞれ中板５２から離間する方向（図５の上下方向）へ動かし、型開きしていく。
【００３６】
この際、上・下可動型５３，５４を相反する方向へ離間させていく少なくとも初期段階において、本体部１６の車内側（図５の下側）ではリップ部２６が下可動型５４に係止され、本体部１６の車外側（図５の上側）では凹部２９が上可動型５３の被係止部５３ａに係止される。これにより、ウエザストリップ４は、上・下可動型５３，５４によって上下方向へ略均等に引っ張られる。そして、上・下可動型５３，５４が離間していくにつれ、徐々に、リップ部２６及び凹部２９と、上・下可動型５３，５４との係止状態が外れていき、最終的にはリップ部２６及び一対の突出部２８ａ，２８ｂが上・下可動型５３，５４から抜き出される。その後、ウエザストリップ４を中板５２から取り外し、完成品が得られる。
【００３７】
以上詳述したように、車内側だけしかリップ部２６が設けられていない構成であっても、少なくとも型開き工程の初期段階においては、車外側も凹部２９が上可動型５３に係止される。つまり、リップ部２６が設けられていない車外側も、リップ部２６が設けられた車内側と同様に上可動型５３に係止されるため、車内側だけが型開き時に下可動型５４によって引っ張られることがない。従って、型成形時、特に型開き工程の初期段階のような弾性材料（ゴム等）がまだ十分に固化されていない状況における変形を抑制し、適正形状のウエザストリップ４を得ることができる。ひいてはウエザストリップ４の取付け不良やシール性の低下を抑制することができる。例えば、仮に凹部２９のような係止部を備えていない場合のように、リップ部２６が設けられた車内側だけが引っ張られることにより、その動きにつられて車外側が引っ張られ、本体部１６の車外側側壁部１９が中板５２からの応力を受け、その付根部を基点として外方に開かれるように変形し、本体部１６の挿入溝部１５が設定以上に開いてしまうといった変形が抑制される。
【００３８】
また、本実施形態では、係止部として断面略半円状の凹部２９が形成されている。このため、凸部の係止部に比べて、ウエザストリップ４の取付時又はそれ以降に特段寄与しない余計な突出部分が形成されないため、ウエザストリップ４の取付性やシール性の低下を抑制することができる。さらに、凹部２９が断面略半円状に形成されているため、型開き時において、必要以上に係止されず、係止状態から外れやすくなる。その結果、型開き作業（型から抜く作業）の作業性の低下を抑制することができる。加えて、リップ部２６が突出している側と同じ側である突出部２８ａの外周側に凹部２９が形成されていることにより、型開き時において車内外両側をバランスよく係止することができる。
【００３９】
また、本実施形態のように、ウエザストリップ４の周方向（前縦辺部１２の長手方向）に対して断続的に複数の凹部２９を設けた構成では、例えば係止部を周方向に連続して設ける場合（係止溝部を設ける場合等）に比べて、係止状態から外れやすくなる。その結果、型開き作業（型から抜く作業）の作業性の低下を抑制することができる。さらには、ウエザストリップ４の取付時又はそれ以降に特段寄与しない余計な部分を極力少なくすることができる。
【００４０】
尚、上記実施の形態の記載内容に限定されず、例えば次のように実施してもよい。勿論、以下において例示しない他の応用例、変更例も当然可能である。
【００４１】
（ａ）上記実施形態では、フロントドア２の固定ガラス３に装着される固定ガラス用ウエザストリップ４について具体化したが、これに限定されるものではなく、例えばリヤドアの固定ガラス（クウォータウインド）に装着される固定ガラス用ウエザストリップにも適用することもできる。
【００４２】
（ｂ）上記実施形態では、固定ガラス用ウエザストリップ４をＴＰＯにより構成しているが、エチレン−プロピレン−ジエン共重合ゴム（ＥＰＤＭ）等の他の素材により構成してもよい。
【００４３】
（ｃ）上記実施形態では、車外側のリップ部が省略されるとともに、これに代えて車外側に係止部としての凹部２９を備える構成を前縦辺部１２において具体化したが、これに限定されるものではなく、例えば後縦辺部９に適用することもできる。
【００４４】
（ｄ）上記実施形態に代えて、車外側にリップ部を備えるとともに、車内側のリップ部を省略し、これに代えて車内側に係止部を備えた構成を採用してもよい。
【００４５】
（ｅ）上記実施形態では、連接部２５とリップ部２６とのなす角度が鋭角となるように形成されている。連接部２５とリップ部２６とのなす角度はこれに限らず、例えば直角や鈍角でもよい。但し、鈍角の場合には、係止状態が外れやすいため、上記実施形態の凹部２９（係止部）を設ける効果が薄い。従って、凹部２９（係止部）は、連接部２５とリップ部２６とのなす角度が直角又は鋭角となる場合により効果を発揮する。
【００４６】
（ｆ）上記実施形態では、係止部として凹部２９が設けられている。係止部の構成は、これに限られるものではない。例えば、係止部として凸部を設けた構成としてもよい。また、ウエザストリップ４の周方向（前縦辺部１２の長手方向）に対して連続的に形成される係止突条や係止溝部等を係止部として設けた構成としてもよい。
【００４７】
また、凹部２９（係止部）の形成位置も上記実施形態に限られるものではなく、例えば突出部２８ｂの内周側に設けられた構成としてもよい。さらに、断面形状も上記断面略半円状のものに限らず、例えば断面略矩形状のものであってもよい。もちろん、断面略半円状の方が、係止状態が比較的外れやすくて良い。
【図面の簡単な説明】
【００４８】
【図１】フロントドアが閉状態にある自動車の斜視図である。
【図２】固定ガラス用ウエザストリップの正面図である。
【図３】図２におけるＦ−Ｆ線断面図である。
【図４】固定ガラス用ウエザストリップの部分側面図である。
【図５】（ａ）は、金型装置を示す断面図であり、（ｂ）は、キャビティ内に弾性材料を充填した状態を示す金型装置の断面図であり、（ｃ）は、型開き時における金型装置及び固定ガラス用ウエザストリップを示す断面図である。
【図６】従来技術における固定ガラス用ウエザストリップを示す断面図である。
【図７】従来技術における型開き時における金型装置及び固定ガラス用ウエザストリップを示す断面図である。
【符号の説明】
【００４９】
１…車両としての自動車ボディ、２…車両用ドアとしてのフロントドア、３…固定ガラス、４…固定ガラス用ウエザストリップ、５…固定ガラス用開口部、１５…挿入溝部、１６…本体部、１７…基底部、１８…車内側側壁部、１９…車外側側壁部、２５…連接部、２６…リップ部、２８ａ，２８ｂ…突出部、２９…係止部としての凹部、３１…インナパネル、３２…アウタパネル、５１…金型装置、５２…溝部用型としての中板、５３…型部材としての上可動型、５４…型部材としての下可動型。
【図１】
2006123632.tif 000003
【図２】
2006123632.tif 000004
【図３】
2006123632.tif 000005
【図４】
2006123632.tif 000006
【図５】
2006123632.tif 000007
【図６】
2006123632.tif 000008
【図７】
2006123632.tif 000009